【事件の表示】
　平成９年特許願第１２８９５６号「印刷物のページ割付方法」拒絶査定不服審判事件〔平成１０年１２月４日出願公開、特開平１０−３１９５６７〕について、次のとおり審決する。
【結　論】
　本件審判の請求は、成り立たない。
【理　由】
第１　手続の経緯
　本願は、平成９年５月１９日に出願された特願平９−１２８９５６号の出願に係り、原審における平成１７年３月８日付の拒絶理由通知に対し、平成１７年５月１６日付の意見書とともに同日付の明細書を補正する手続補正書が提出され、前記拒絶理由により平成１７年１１月８日付で拒絶査定され、その後、前記拒絶査定を不服として、平成１７年１２月１５日に拒絶査定不服審判が請求され、その請求の日から３０日以内の平成１８年１月１３日付の明細書を補正する手続補正書が提出されたものである。
　
第２　平成１８年１月１３日付の手続補正についての補正の却下の決定
　
［補正の却下の決定の結論］
　平成１８年１月１３日付の手続補正を却下する。
　
［理由］
１　補正の内容
　平成１８年１月１３日付の手続補正（以下、この補正を「本件補正」という。）は、平成１７年５月１６日付の手続補正により補正された特許請求の範囲についての
「【請求項１】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第３ページを、第１回目の折りにより前記第２ページと対面可能な升目中の所望の升目に指定することで、この第３ページの裏の升目のページを第４ページに決定する第３過程と、
　第５ページを、第２回目の折りにより前記第４ページと対面可能な升目中の所望の升目に指定することで、この第５ページの裏の升目のページを第６ページに決定する第４過程とを有し、
　前記第３過程では、前記折られていない状態で画面に表示されている印刷物中、前記第２ページと対面可能な升目をポインチングデバイスで選択可能に表示し、
　前記第４過程では、前記折られていない状態で画面に表示されている印刷物中、前記第４ページと対面可能な升目をポインチングデバイスで選択可能に表示する
　ことを特徴とする印刷物のページ割付方法。
【請求項２】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第４ページを、第１回目の折りにより前記第１ページと前記第４ページとが前記第２ページを挟んで対向可能な升目中の所望の升目に指定することで、この第４ページの裏の升目のページを第３ページに決定する第３過程と、
　第５ページを、第２回目の折りにより前記第４ページと対面可能な升目中の所望の升目に指定することで、この第５ページの裏の升目のページを第６ページに決定する第４過程とを有し、
　前記第３過程では、前記折られていない状態で画面に表示されている印刷物中、前記第１ページと前記第４ページとが前記第２ページを挟んで対向可能な升目をポインチングデバイスで選択可能に表示し、
　前記第４過程では、前記折られていない状態で画面に表示されている印刷物中、前記第４ページと対面可能な升目をポインチングデバイスで選択可能に表示する
　ことを特徴とする印刷物のページ割付方法。
【請求項３】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第３ページを、第１回目の折りにより前記第２ページと対面可能な升目中の所望の升目に指定することで、この第３ページの裏の升目のページを第４ページに決定する第３過程と、
　第６ページを、第２回目の折りにより前記第４ページを挟んで対向する升目中の所望の升目に指定することで、この第６ページの裏の升目のページを第５ページに決定する第４過程とを有し、
　前記第３過程では、前記折られていない状態で画面に表示されている印刷物中、前記第２ページと対面可能な升目をポインチングデバイスで選択可能に表示し、
　前記第４過程では、前記折られていない状態で画面に表示されている印刷物中、前記第４ページを挟んで対向する升目をポインチングデバイスで選択可能に表示する
　ことを特徴とする印刷物のページ割付方法。
【請求項４】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第４ページを、第１回目の折りにより前記第１ページと前記第４ページとが前記第２ページを挟んで対向可能な升目中の所望の升目に指定することで、この第４ページの裏の升目のページを第３ページに決定する第３過程と、
　第６ページを、第２回目の折りにより前記第４ページを挟んで対向する升目中の所望の升目に指定することで、この第６ページの裏の升目のページを第５ページに決定する第４過程とを有し、
　前記第３過程では、前記折られていない状態で画面に表示されている印刷物中、前記第１ページと前記第４ページとが前記第２ページを挟んで対向可能な升目をポインチングデバイスで選択可能に表示し、
　前記第４過程では、前記折られていない状態で画面に表示されている印刷物中、前記第４ページを挟んで対向する升目をポインチングデバイスで選択可能に表示する
　ことを特徴とする印刷物のページ割付方法。
【請求項５】　請求項１〜４のいずれか１項に記載の方法において、
　前記２回の折りに基づき、前記第６ページに対面する升目を第７ページに決定し、この第７ページの裏の升目を第８ページに決定する第５の過程とを含む
　ことを特徴とする印刷物のページ割付方法。
【請求項６】　請求項５記載の方法において、
　第９ページを、第３回目の折りにより前記第８ページと対面可能な升目中の所望の升目に指定することで、この第９ページの裏の升目のページを第１０ページに決定する第６過程とを含み、
　この第６過程では、前記折られていない状態で画面に表示されている印刷物中、前記第８ページと対面可能な升目をポインチングデバイスで選択可能に表示する
　ことを特徴とする印刷物のページ割付方法。」
の記載を、
「【請求項１】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第３ページを、第１回目の折りにより前記第２ページと対面可能な升目中の所望の升目に指定することで、この第３ページの裏の升目のページを第４ページに決定する第３過程と、
　第５ページを、第２回目の折りにより前記第４ページと対面可能な升目中の所望の升目に指定することで、この第５ページの裏の升目のページを第６ページに決定する第４過程とを有し、
　前記第３過程では、前記折られていない状態で画面に表示されている印刷物中、前記第２ページと対面可能な
全ての
を選
強調して
　前記第４過程では、前記折られていない状態で画面に表示されている印刷物中、前記第４ページと対面可能な
全ての
を選
強調して
　ことを特徴とする印刷物のページ割付方法。
【請求項２】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第４ページを、第１回目の折りにより前記第１ページと前記第４ページとが前記第２ページを挟んで対向可能な升目中の所望の升目に指定することで、この第４ページの裏の升目のページを第３ページに決定する第３過程と、
　第５ページを、第２回目の折りにより前記第４ページと対面可能な升目中の所望の升目に指定することで、この第５ページの裏の升目のページを第６ページに決定する第４過程とを有し、
　前記第３過程では、前記折られていない状態で画面に表示されている印刷物中、前記第１ページと前記第４ページとが前記第２ページを挟んで対向可能な
全ての
を選
強調して
　前記第４過程では、前記折られていない状態で画面に表示されている印刷物中、前記第４ページと対面可能な
全ての
を選
強調して
　ことを特徴とする印刷物のページ割付方法。
【請求項３】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第３ページを、第１回目の折りにより前記第２ページと対面可能な升目中の所望の升目に指定することで、この第３ページの裏の升目のページを第４ページに決定する第３過程と、
　第６ページを、第２回目の折りにより前記第４ページを挟んで対向する升目中の所望の升目に指定することで、この第６ページの裏の升目のページを第５ページに決定する第４過程とを有し、
　前記第３過程では、前記折られていない状態で画面に表示されている印刷物中、前記第２ページと対面可能な
全ての
を選
強調して
　前記第４過程では、前記折られていない状態で画面に表示されている印刷物中、前記第４ページを挟んで対向する
全ての
を選
強調して
　ことを特徴とする印刷物のページ割付方法。
【請求項４】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第４ページを、第１回目の折りにより前記第１ページと前記第４ページとが前記第２ページを挟んで対向可能な升目中の所望の升目に指定することで、この第４ページの裏の升目のページを第３ページに決定する第３過程と、
　第６ページを、第２回目の折りにより前記第４ページを挟んで対向する升目中の所望の升目に指定することで、この第６ページの裏の升目のページを第５ページに決定する第４過程とを有し、
　前記第３過程では、前記折られていない状態で画面に表示されている印刷物中、前記第１ページと前記第４ページとが前記第２ページを挟んで対向可能な
全ての
を選
強調して
　前記第４過程では、前記折られていない状態で画面に表示されている印刷物中、前記第４ページを挟んで対向する
全ての
を選
強調して
　ことを特徴とする印刷物のページ割付方法。
【請求項５】　請求項１〜４のいずれか１項に記載の方法において、
　前記２回の折りに基づき、前記第６ページに対面する升目を第７ページに決定し、この第７ページの裏の升目を第８ページに決定する第５の過程とを含む
　ことを特徴とする印刷物のページ割付方法。
【請求項６】　請求項５記載の方法において、
　第９ページを、第３回目の折りにより前記第８ページと対面可能な升目中の所望の升目に指定することで、この第９ページの裏の升目のページを第１０ページに決定する第６過程とを含み、
　この第６過程では、前記折られていない状態で画面に表示されている印刷物中、前記第８ページと対面可能な
全ての
を選
強調して
　ことを特徴とする印刷物のページ割付方法。」
と補正することを含むものである。
　
２　本件補正についての検討
（１）　補正の目的要件についての検討
　まず、本件補正が特許法第１７条の２第４項の規定に適合するか否か、すなわち、同法第１７条の２第１項第４号の規定により、拒絶査定不服審判の請求の日から３０日以内になされた特許請求の範囲についてする補正が、同法第１７条の２第４項の第１号ないし第４号に規定する補正の目的に該当する補正であるか否かについて検討する。
　
ア　本件補正の内容
（ア）　本件補正により、本件補正前の請求項１（本件補正前の請求項１を「旧請求項１」といい、本件補正後の請求項１を「新請求項１」などということがある。以下同様。）、旧請求項２、旧請求項３、旧請求項４及び旧請求項６に記載されていた「升目」が、新請求項１、新請求項２、新請求項３、新請求項４及び新請求項６において、「
全ての
　
（イ）　本件補正により、旧請求項１、旧請求項２、旧請求項３、旧請求項４及び旧請求項６に記載されていた「升目を
ポインチングデバイスで
　
（ウ）　本件補正により、旧請求項１、旧請求項２、旧請求項３、旧請求項４及び旧請求項６に記載されていた「選択可能に表示」が、新請求項１、新請求項２、新請求項３、新請求項４及び新請求項６において、「選択可能に
強調して
　
イ　本件補正について当審の判断
（ア）　本件補正のうちの上記「補正ａ」の補正は、本件補正前の「升目」を「全ての升目」に限定的に減縮するものであるから、特許法第１７条の２第４項第２号の「特許請求の範囲の減縮」を目的とするものに該当する補正である。
　
（イ）　本件補正のうちの上記「補正ｃ」の補正は、本件補正前の「選択可能に表示」を「選択可能に強調して表示」に一応限定的に減縮するものであるから、特許法第１７条の２第４項第２号の「特許請求の範囲の減縮」を目的とするものに該当する補正である。
　
（ウ）　しかしながら、本件補正のうちの上記「補正ｂ」の補正は、本件補正前の「升目をポインチングデバイスで選択可能に」から「ポインチングデバイスで」を削除したものであるから、本件補正前の発明特定事項である「升目をポインチングデバイスで選択可能に」を限定的に減縮する目的でなされた補正であるということができない。
　そしてまた、前記「補正ｂ」の補正は、「請求項の削除」、「誤記の訂正」及び「明りようでない記載の釈明」を目的とする補正にも該当しないことが明らかである。
　そうすると、前記「補正ｂ」の補正は、同法第１７条の２第４項第１号、第２号、第３号及び第４号に掲げるところの、
　第１号：第三十六条第五項に規定する請求項の削除
　第２号：特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）
　第３号：誤記の訂正
　第４号：明りようでない記載の釈明（拒絶理由通知に係る拒絶の理由に示す事項についてするものに限る。）
のいずれの目的にも該当しない補正である。
　
ウ　まとめ
　以上のとおり、本件補正は、特許法第１７条の２第４項の第１号ないし第４号に規定する補正の目的のいずれにも該当しない補正を含むものである。
　
（２）　新規事項の追加禁止要件についての検討
　つぎに、本件補正が特許法第１７条の２第３項の規定に適合するか否か、すなわち、同法第１７条の２第１項第４号の規定により、拒絶査定不服審判の請求の日から３０日以内になされた特許請求の範囲についてする補正が、同法第１７条の２第３項に規定する、いわゆる新規事項の追加の禁止要件に違背する補正であるか否かについても、検討する。
　
ア　本件補正の内容
　上記「（１）　補正の目的要件についての検討」欄の「（ウ）」に前述したところの、本件補正の上記「補正ｃ」の補正により、旧請求項１、旧請求項２、旧請求項３、旧請求項４及び旧請求項６に記載されていた「選択可能に表示」が、新請求項１、新請求項２、新請求項３、新請求項４及び新請求項６において、「選択可能に
強調して
　
イ　本件補正について当審の判断
　審判請求人は、その審判請求書の「（２）補正の根拠の明示」欄において、前記「補正ｃ」の「選択可能に強調して表示」の補正は、新請求項１、新請求項２、新請求項３、新請求項４については、本願の願書に最初に添付した明細書の段落【００３６】の記載及び図面【図６】の記載を根拠とし、また、新請求項６については、本願の願書に最初に添付した明細書の段落【００４３】の記載及び図面【図１１】の記載を根拠としている旨を主張する。
　そこで、本願の願書に最初に添付した明細書及び図面（以下、「当初明細書等」という。）の記載を点検すると、前記段落【００３６】には、「詳しく説明すると、第１回目の折りにより前記第２ページと対面可能な升目とは、折り機が右から左へ折ることを考慮すれば、図６に示すようにハッチングで示す部分が第２ページと対面可能な升目であり、このように表示しておくことで、オペーレータは、ハッチングされた４箇の升目中、いずれか１つの升目に第３ページを指定することができる。オペレータがハッチング以外の升目を指定した場合には、『折り方が不可能です。この升目には指定できません。』等の表示がなされる。」が記載されており、そして、段落【００４３】には、「次に、第９ページまたは第１０ページを指定する（ステップＳ１０）。第９ページを指定する場合には、図１１のハッチングの升目に示すように、第３回目の折りにより前記第８ページと対面可能な升目中の所望の升目に指定することで（図１２）、折線Ｌ３が決定され、かつこの第９ページの裏の升目のページが第１０ページに決定される。」が記載されている。
　また、前記図面【図６】には、「表の第２ページと対面可能な升目について表記された４箇所のハッチングの表示」が図示されており、そして、前記図面【図１１】には、「裏の第８ページと対面可能な升目について表記された２箇所のハッチングの表示」が図示されている。
　このように、本願の当初明細書等には、表示手段としての「ハッチング」の記載が認められる。
　しかしながら、前記段落【００３６】及び段落【００４３】、並びに、前記図面【図６】及び図面【図１１】には、前記「補正ｃ」の補正に係る「選択可能に強調して表示」における「強調して表示」の文言が記載されていないばかりでなく、本願の当初明細書等には、「選択可能に強調して表示」する表示手段としての「ハッチング」以外の他の表示手段の例示が記載されているということがない。
　しかして、選択可能にする強調表示の技術手段としては、本願の当初明細書等に記載されている「ハッチング表示」の他にも、ハイライト表示、点滅表示、色彩表示、反転表示、太枠表示等の種々の強調して表示する技術手段が考えられるのであり、前記「選択可能に強調して表示」が、必ずしも本願の当初明細書等に記載されている「ハッチング表示」のみを指し示す意味で使用される文言とはいえない。
　このように、前記「補正ｃ」の補正における「選択可能に強調して表示」の技術事項は、前記した「ハイライト表示、点滅表示、色彩表示、反転表示、太枠表示等の種々の強調して表示する技術手段」をも包含する広い概念であり、そして、選択可能にする強調表示の技術手段としての前記「ハイライト表示、点滅表示、色彩表示、反転表示、太枠表示等の種々の強調して表示する技術手段」を含む「選択可能に強調して表示」する表示手段が、本願の明細書の記載において自明の事項であるとも認めることができない。
　したがって、前記「補正ｃ」の補正における「選択可能に強調して表示」は、本願の願書に最初に添付した明細書又は図面に記載した事項の範囲内でした補正であるということができない。
　
ウ　まとめ
　以上のとおり、本件補正は、特許法第１７条の２第３項の規定により違背とされるところの、いわゆる新規事項を追加する補正を含むものである。
　
（３）　むすび
　以上のとおりであり、本件補正が特許法第１７条の２第４項の規定に適合していない補正を含んでいるばかりでなく、本件補正が、同法第１７条の２第３項の規定により違背とされているところの、いわゆる新規事項を追加する補正を含むものでもあるから、本件補正は、同法第１５９条第１項において読み替えて準用する同法第５３条第１項の規定により、却下すべきものである。
　
第３　本願発明について
１　本願発明
　上記「第２」欄に前述した理由により、平成１８年１月１３日付の手続補正が却下されたことにより、当審が審理すべき本願発明は、平成１７年５月１６日付の手続補正により補正された特許請求の範囲の請求項１ないし請求項６に記載された事項により特定されるとおりのものであるところ、その請求項１に係る発明は次のとおりのものである（上記「第２」の「１　補正の内容」欄を参照）。
　「【請求項１】　製本する際に複数回折られる印刷物を、折られていない状態で画面上に表示させ、折られていない状態における表裏面の各ページにページ番号をコンピュータ処理により割り付ける際に、
　折られていない状態での表裏面のいずれか一面の縦方向×横方向のページ数に対応する升目数を指定する第１過程と、
　前記表裏面のいずれか一面中の、所望の升目を第１ページに指定することで、第１ページを決定するとともに、その第１ページの裏の升目のページを第２ページに決定する第２過程と、
　第３ページを、第１回目の折りにより前記第２ページと対面可能な升目中の所望の升目に指定することで、この第３ページの裏の升目のページを第４ページに決定する第３過程と、
　第５ページを、第２回目の折りにより前記第４ページと対面可能な升目中の所望の升目に指定することで、この第５ページの裏の升目のページを第６ページに決定する第４過程とを有し、
　前記第３過程では、前記折られていない状態で画面に表示されている印刷物中、前記第２ページと対面可能な升目をポインチングデバイスで選択可能に表示し、
　前記第４過程では、前記折られていない状態で画面に表示されている印刷物中、前記第４ページと対面可能な升目をポインチングデバイスで選択可能に表示する
　ことを特徴とする印刷物のページ割付方法。」（以下、これを「本願発明１」という。）
　
２　引用刊行物及びその記載事項
（１）原審における拒絶査定の理由に引用された、本願の特許出願前に頒布された刊行物である特開平９−１０９３５６号公報（以下、「引用刊行物１」という。）には、「ページデータ面付装置および刷版作成装置」に関し、図面の記載とともに次の事項が記載されている。
　「【０００１】【発明の属する技術分野】　この発明は、刷版を作成する際の面付を行うページデータ面付装置および刷版作成装置に関するものであり、特に、印刷データから刷版を直接作成するのに好適である。」
　「【０００９】　本発明は上述した事情に鑑がみてなされたものであり、印刷データの面付を容易に行うことができるページデータ面付装置および刷版作成装置を提供することを主目的とする。」
　「【００１３】（作用）　請求項１に記載のこの発明にあっては、入力手段によって入力された面付指示データは、表示手段に表示されるから、オペレータは面付指示データを確認しつつ、面付指示を行うことができる。」
　「【００１５】【発明の実施の形態】　１．実施形態の構成
　以下、図面を参照してこの発明の実施形態の構成について説明する。図１はこの発明の一実施形態のブロック図である。同図において、まず、１はページデータ面付装置であり、各刷版に露光するページ配置を調整した出力データＤＳを生成する。２はＣＥＰＳ（Color Electronic prepress System）であり、ページデータＤＰを生成する。ＣＥＰＳ２は、コンピュータを中心とした画像処理装置であり、画像を取り込むカラースキャナを有する。上述のページデータＤＰは、印刷データをページ単位としたデータであって、刷版を作成するのに必要な解像度を有している。また、３はページデザインシステムであって、ＣＥＰＳ２と同様にページデータＤＰを生成する。このページデザインシステム３で生成されるページデータＤＰの言語としては、例えば、Post Script等のページ記述言語が用いられる。また、４は刷版出力機であり、出力データＤＳに基づいて、各版毎の刷版を作成する。
　　【００１６】　次に、ページデータ面付装置１の構成について説明する。１０は、ＣＰＵであり、ページデータ面付装置１全体の動作を制御する。１１はキーボードであり、これにより、数字や文字等が入力される。１２はマウスであり、これにより、操作指示が入力される。１３はメモリ等で構成される主記憶装置であり、ページデータＤＰや各種の管理データ等を記憶する。１４は、ハードデイスクであり、大量のページデータＤＰ等を記憶する。１５はモニタであり、ここに、面付指示やその指示を登録するための指示登録画面が表示される。また、指示登録画面中には、マウス１２の指示対象となるＧＵＩが表示される。
　　【００１７】　２．実施形態の動作
　以下、図面を参照してこの発明の実施形態の動作について説明する。図２は、この発明の一実施形態の動作を表すフローチャートである。まず、処理が開始されると、ＣＥＰＳ２またはページデザインシステム３からページデータＤＰがページデータ面付装置１に供給される。このページデータＤＰは、ＣＰＵ１０の制御の下、主記憶装置１３またはハードデイスク１４に一旦記憶される。
　　【００１８】　ここで、ＣＥＰＳ２またはページデザインシステム３で生成されるページデータＤＰについて、図３を参照しつつ説明する。同図に示すように、ページデータＤＰは、各種データを組み合わせて構成される。１ページ中に各種データを配置する作業を集版と呼び、集版されたデータがページデータＤＰとなる。ページデータＤＰは、画像データＧＤ、文字データＭＤおよび図形データＺＤから構成される。
　　【００１９】　まず、画像データＧＤについて説明する。カタログのような印刷物を作成する場合には、そこに掲載される商品の写真と価格等を適宜配置する必要がある。このため、各種の商品に対応した複数の画像ファイルを予め用意しておく。そして、集版の過程では、所定の画像ファイルを読み出してこれを画像素材として使用することが行われる。また、一つの画像ファイルは一定の面積を有する画像素材から構成されるが、その一部を使用したい場合もあるので、画像素材に対して画像ウインドを施し、画像ウインドの内部にある画像素材を使用することもある。このため、画像データＧＤは、以下の情報を有する。すなわち、ファイルと特定するための画像ファイル名、画像ウインドの形状、画像ウインドのページ原点相対座標、画像配置のページ原点相対座標、および画像拡大率である。また、画像データＧＤは、カラー画像も対象とするため、イエロＹ、マゼンダＭ、シアンＣ、およびブラックＫ、または、赤Ｒ、緑Ｇおよび青Ｂで表され、各色について上記情報を有する。なお、この例におけるページ原点は、左下隅の「０」である。
　　【００２０】　また、文字データＭＤは、文字色（ＹＭＣＫ値）、書体名およびページ原点相対座標等の情報で構成される。また、図形データＺＤは、形状、線種、線色（ＹＭＣＫ値）、線幅、端点処理方法、塗りつぶし方法、塗りつぶし色（ＹＭＣＫ値）およびページ原点相対座標等の情報で構成される。
　　【００２１】　次に、図２に示すステップＳ２では、ＣＰＵ１０は、主記憶装置１３またはハードデイスク１４に格納されているページデータＤＰを読み出して、各色版に対応したページデータＰＤに分解する。以下の説明では、分解されたページデータＰＤを分版ページデータＢＰＤと呼こととする。この例では、Ｙ版、Ｍ版、Ｃ版およびＫ版に対応するため、４つの分版ページデータＢＰＤが生成される。この処理について、図４を参照しつつ説明する。まず、画像データＧＤについては、ＹＭＣＫで表される場合は、そのデータを用い、ＲＧＢで表される場合はＹＭＣＫに変換する。次に、文字データＭＤは、文字色で指定するＹＭＣＫ値を用いて分解する。さらに、図形データはＺＤは、線色および塗りつぶし色で指定するＹＭＣＫ値を用いて分解する。このようにして分解した各種データを、Ｙ版、Ｍ版、Ｃ版およびＫ版毎にまとめ、同一ページについて４つの分版ページデータＢＰＤを生成する。
　　【００２２】　ステップＳ２が終了すると、図２に示すステップＳ３に進み、各色版について最終的な刷版サイズに合わせて、必要な分版ページデータＢＰＤの面付配置を行う。具体的には、刷版上に、どのページを、どのような方向・位置で配置するかを指示する。
　　【００２３】　この点について、図５を参照しつつ説明する。図５はモニタ１５に表示される刷版面付指示／登録画面である。図において、１００はイメージ表示部であり、所定の条件の下での刷版位置を表すシュミレーション画面［当審注：「
シミュ
　　【００２４】　まず、オペレータがキーボード１１やマウス１２を操作して、刷版サイズ、すなわち、刷版の横幅Ｗと縦幅Ｈを入力すると、その入力値が設定表示部４００中の表示枠４２１，４２２に表示される。次に、ページサイズ、すなわち、ページの横幅Ｗと縦幅Ｈを入力すると、その入力値が表示枠４３１，４３２に表示される。また、１枚の刷版に面付を行うページ数を入力すると、その入力値が表示枠４４０に表示される。この例のように、表示枠４４０に「４」と表示される場合は、１枚の刷版当たり４ページの面付が行なわれる。
　　【００２５】　上記した入力がなされると、印刷イメージ表示部１１０に刷版位置を表すシュミレーション画面［当審注：「
シミュ
　　【００２６】　次に、各ページ部１１１〜１１４にどのページを配置するかを特定する。このため、対象となるページ部をマウス１２で特定し、ページ番号をキーボード１１を用いて入力すると、表示枠２２０に当該ページ番号が表示されると共にそのページ部にページ番号が表示される。その後、ページの配置方向を特定するため、対象となるページ部をマウス１２で特定し、配置方向をキーボード１１で入力すると、表示枠２３０に配置方向が表示される。この例では、ページ部１１２に第４ページを天地逆転で配置することとなる。なお、ページ部に表示されるページ番号は、そこに配置されるページの配置方向に応じて回転した数字で表される。
　　【００２７】　その後、各ページ部１１１〜１１４の刷版１１０中の配置位置を特定する。このため、対象となるページ部をマウス１２で特定し、刷版原点を基準として当該ページ部の左下隅の座標値をキーボード１１を用いて入力すると、Ｘ，Ｙ座標値が表示枠２４１，２４２に表示される。尚、刷版原点は通常、刷版の左下隅となる。
　　【００２８】　このようにして、面付指示が入力された後、ステップＳ３１に進み、現在のページ面付指示を登録するか否かを選択する。登録する場合には、表示枠２４３または４１０をマウス１２で特定し、面付パターン名称をキーボード１１を用いて入力する。この後、マウス１２で登録部４５０をクリックすると（ステップＳ４）、面付パターン名称と共に上記した面付指示を表す面付パターンデータが、主記憶装置１３またはハードデイスク１４に格納される。したがって、主記憶装置１３またはハードデイスク１４は面付パターンデータの記憶手段として機能する。また、パターンリスト表示部３１０には、当該面付パターン名称が新たに表示される。一方、登録を行わない場合は、特別な操作を行わない。」
　
　そうしてみると、引用刊行物１の上記摘記事項及び図面の図示からみて、前記引用刊行物１には、次の発明（以下、これを「引用発明１」という。）の記載が認められる。
　「刷版を作成する際の面付を行い、各刷版に露光するページ配置を調整した出力データＤＳを生成するページデータ面付装置１を使用して印刷データの面付を容易に行うことができるコンピュータを用いたページデータ面付方法であって、
　　前記ページデータ面付装置１は、ページデータ面付装置１全体の動作を制御するＣＰＵ１０、数字や文字等を入力するキーボード１１、操作指示を入力するマウス１２、ページデータＤＰや各種の管理データ等を記憶するメモリ等で構成される主記憶装置１３、大量のページデータＤＰ等を記憶するハードデイスク１４、面付指示やその指示を登録するための指示登録画面が表示されるモニタ１５から構成され、
　　まず、処理が開始されると、ＣＥＰＳ２またはページデザインシステム３から画像データＧＤ、文字データＭＤおよび図形データＺＤを組み合わせて構成されるページデータＤＰがページデータ面付装置１に供給（ステップＳ１）され、
　　次に、ＣＰＵ１０が、主記憶装置１３またはハードデイスク１４に格納されているページデータＤＰを読み出して、各色版に対応したページデータＰＤに分解（ステップＳ２）し、
　　ステップＳ２が終了すると、各色版について最終的な刷版サイズに合わせて、必要な分版ページデータＢＰＤの面付配置を行い、刷版上に、どのページを、どのような方向・位置で配置するかの面付指示を、オペレータがキーボード１１、マウス１２の入力手段によって入力し、表示手段であるモニタ１５に表示される面付指示データである印刷イメージ表示部１１０に刷版位置を表すシミュレーション画面をオペレータが確認しつつ面付をするに際し、まず、オペレータがキーボード１１やマウス１２を操作して、刷版の横幅Ｗと縦幅Ｈを入力し、次に、ページの横幅Ｗと縦幅Ｈを入力し、そして、１枚の刷版に面付を行うページ数を入力すると、印刷イメージ表示部１１０に刷版位置を表すシミュレーション画面である、刷版１１０中に配置する各ページ部１１１〜１１４が表示され、次に、各ページ部１１１〜１１４にどのページを配置するかを特定するため、対象となるページ部をマウス１２で特定し、ページ番号をキーボード１１を用いて入力すると、表示枠２２０に当該ページ番号が表示されると共にそのページ部にページ番号が表示され、その後、ページの配置方向を特定するため、対象となるページ部をマウス１２で特定し、配置方向をキーボード１１で入力すると、表示枠２３０に配置方向が表示されることにより、面付指示を行う（ステップＳ３）ようにした、コンピュータを用いたページデータ面付方法」
　
（２）原審における拒絶査定の理由に引用された、本願の特許出願前に頒布された刊行物である特開平４−１３６８４８号公報（以下、「引用刊行物２」という。）には、「レイアウトスキャナにおける自動面付装置」に関し、図面の記載とともに次の事項が記載されている。
　「〔産業上の利用分野〕　本発明はレイアウトスキャナにおいて、管理データの読み込み，構築，検索及び更新に関するもので、管理データをもとにレイアウトされた画像データの自動面付を可能にするものである。」（１頁右欄７〜１１行）
　「〔発明が解決しようとする課題〕　現在の製版の流れでは、実用版で実際に印刷する前に、校正機により校正刷を刷り、出版社等の得意先に校正してもらう必要がある。その際には２頁の見開き状態で製版及び校正刷を行う場合が多い。しかし、実際の印刷では１回の印刷で複数の頁（同じ頁が複数ある場合もある），複数の面を印刷できるように刷版を作製する。特に、頁物の場合には印刷して折った時に、頁が順番にならぶように、見開き２頁のものを半分に正確に断ち落として刷版上に配置し直さなければならない。（このように印刷して折り、本になったとき、正しい配列となるように頁を配置することを面付という）。本発明は、上記のように現在手作業で、もしくは複雑な手順を経てシステムで行われている作業に関して、自動的に面付を可能にする装置を提供することを課題とする。」（２頁左上欄４行〜同頁右上欄２行）
　「通常１６頁の頁物は第７図に示すように、８通りの頁の見開きとなる。つまり、本を開いた時に見える姿がこの様になるわけですが、得意先へ校正刷を提出する際もこの頁の状態で行うのが通常である。この際、校正刷の為の製版は台紙（ネーム、罫線、写真当たり，等が施され頁のサイズ，体裁等が判る），画像とも２頁状態の材料を作成する。ところで、実際に本にする際の印刷は折の方向，種類によって変わってくるが、右綴じの場合は第３図の様に印刷する。つまり、校正刷の場合と実際の印刷の場合とでは、頁の隣合わせのパターンが異なる。」（２頁右下欄７〜１９行）
　「面付の必要があれば、次に面付のメンバーを検索し、作業進行状況を確認し、レイアウト完了，下版時フラグが立っている場合に面付処理を行う。面付には、品目，月号，折り，頁と面付に必要な項目として、綴じの種類（中綴じ、平綴じ），折り数，面付数及び綴じ方向（右開きか左開きか）の各情報があり、中央処理装置７はこの情報を記憶装置２より読み込む。ここで折りは機械折りを前提としているので、第３図に示すように一定の決まりがある。まず、若い番号を左下にもってきて、右から左へ折る。次に時計回りに９０°回転させ、同様に右から左へ折っていく。従って、上記の情報を管理し、面付手段をパターン化することにより、仮ノンブル（仮の頁）の自動認識が可能となる。第４図〜第６図にその一例を示す。第４図は８頁面付の例で、綴じ方向の違いで左開きの場合はノンブルの位置が天合わせとなり右開きの場合は地合わせとなることを示している。第５図は中綴じ左開き２４頁製本の例で、中綴じの場合は折り重ねて綴じる際に、若い折から順次各折を重ねて製本するために、必ず１折に１頁と最終の２４頁がくる。また、第６図の平綴じ左開きの場合は中綴じと異なり、各折は若い折から順番にノンブルが進んでいく。このように面付手段をパターン化し、面付必要情報を一括管理することにより、仮ノンブルを決定することができる。仮ノンブルと同時に面付順も決まり、その面付順に従い、ディスクに格納されているレイアウト済画像データを中央処理装置にロードすることにより、面付レイアウトが完了する。その後、出力機８のスキャナに画像データが送られ出力される。」（３頁右上欄３行〜同頁左下欄１７行）
　そして、引用刊行物２の、１６頁右綴じの場合の刷本の折り方の説明図である第３図には、刷物９の裏面左下隅の頁を一番若い第１頁目とした場合に、当該刷物９が、第１回目の折り曲げ、第２回目の折り曲げ、第３回目の折り曲げによって得られる、第１頁から第１６頁までの各頁１１に付されるノンブル１２が、若い折から順次各折を重ねて製本したときの正しい順番になっている図が示されている。
　
（３）原審における拒絶査定の理由に引用された、本願の特許出願前に頒布された刊行物である特開昭６０−１９６７６０号公報（以下、「引用刊行物３」という。）には、「印刷用ページ配列検査方法及び装置」に関し、図面の記載とともに次の事項が記載されている。
　「従来、本やカタログ等の印刷を行なう場合に複数ページ分の画像をー度に印刷することは広く一般に行なわれている。このような場合に複数ページ分を印刷された印刷物は折り機によって各ページが正しい順番となるように折られる。ところで印刷物が折り機によって折られた場合に各ページが正しい順番になるようにするためには印刷版上に形成される各ページの画像が予じめ決められた位置に配列されていることが必要である。
　　第１図〜第３図は１６ページ分を一度に印刷する場合に各ページの画像をどのように配列させればよいかの一例を説明するためのものである。なお、図中において各ページの画像の配列状態を示す数字が上下逆に表示されているページはその画像も上下逆に配列され、前記数字が上下正常に表示されているページはその画像も上下正常に配列されていることを示している。第１図は複数ページ分の画像（Ｐ１）、（Ｐ２）、（Ｐ３）…（Ｐ１６）を２枚のシート状基材（２０）（２１）上に配列させた状態を示している。シート状基材（２０）は表に印刷される分の各ページが配列されており、シート状基材（２１）には裏に印刷される分の各ページが配列されている。簡単のため第１図においてシート状基材（２０）（２１）としては透明なプラスチックフィルムを用い、複数ページ分の面像（Ｐ１）〜（Ｐ１６）は透過型ポジ画像又はネガ画像を前記シート状基材（２０）又は（２１）に貼着したものの場合、すなわち印刷用面付フィルムの場合を例にとって説明を進めることにするがこれに限定されるものではなく、例えばシート状基材はオフセット印刷用ＰＳ版であり、画像（Ｐ１）〜（Ｐ１６）としては前記ＰＳ版に形成された画像であっても良い。
　　第１図（ａ）、（ｂ）の如く各ページの画像が配列されている２枚の印刷用面付フィルムからそれぞれ２版の印刷版が作成され、該印刷版を用いて紙その他の被印刷体の表裏両面に印刷が行なわれる。第２図はオフセット方式で印刷された印刷物（２２）を示しており、印刷物（２２）中に付された数字はそれぞれの数字で示されるページを示し、カッコなしの数字は印刷物（２２）の表に印刷されている各ぺージを示し、カッコを付けて示された数字はそれぞれの数字の配列されている位置の裏面に印刷されている各ページを示す。すなわち、第１６、１、４、１３、９、８、５、１２頁はそれぞれ表に印刷されており、対応する数字によって示される位置に配列されている。また、第１５、２、３、１４、１０、７、６、１１頁はそれぞれ裏に印刷されており、対応する数字によって示される位置に配列されている。なお、ここでも各ページを示す数字が天地逆になっているところでは印刷画像も天地が逆になっていることを示す。
　　こうして得られた印刷物（２２）は第１にＡ−Ａ線に沿って折り曲げ、次にＢ−Ｂ線に沿って折り曲げ、最後にＣ−Ｃ線に沿って折り曲げることによって第３図に示す如く第１ページから第１６ページまで各ページが正しい順番になっている折丁（２３）が得られる。
　　以上の如くして得られた折丁は必要に応じて他の折丁と組み合わされてＣ−Ｃ線に沿って折り曲げた部分の辺を綴部として製本し、他の辺の端部を断裁することによって、各々のページを開いてみることができる。第４図（ａ）〜（ｉ）はこうして各ページを開いて見た場合に各ページがどのように見えるかを示している。
　　第４図から明らかなように、以上の如くして得られた本は左ページから読むようになっており、英語の本や横書きの日本語の本等に採用されるものである。
　　第４図の場合とは逆に縦書きの日本語の本の場合には右ページから読むようになっており、この場合には第５図（ａ）（ｂ）に示すように各ページの画像を配列させておくことにより、印刷、折り、断裁の後は、第６図（ａ）〜（ｉ）に示す如く各ページを開いて見ることができる。
　　以上の説明から理解できるように、複数ページ分の画像（文字や絵柄等）を一度に印刷する場合には面付フィルム又は面付印刷版（第１図、第５図参照のこと）を作成する段階において各ページの画像が所定の位置に正しく配列されているかどうかを検査する必要がある。しかしながらこの検査はかなり複雑な要素を含んでいる。すなわち、各ページの画像をシート状基材のどの位置に配列させるかは、（イ）何ページ分を一度に印刷するのか、（ロ）右から読む本であるのか又は左から読む本であるのか、（ハ）どのような折り方を採用するのか、等によって異なってくるものである。
　　従ってシート状基材に各ページの画像を配列させた状態から折り作業後の折丁が正しいページ順になるかどうかということを想像することは非常に困難である。このため、各ページの画像を誤った位置に配列させてしまってもその誤りを発見し難く、誤った配列のままで印刷版の作製、印刷、製本を行なってしまうこともある。従ってこのような場合にはその分の材料が全てムダとなるのみならず、時間的なムダも膨大なものとなる。」（１頁右欄１３行〜３頁左上欄６行）
　「以上本発明については、１６ぺージ折について主として説明してきたが、３２ページ折やその他のページ数のものについても適用することができる。更に折り方に関しても既に説明した以外にも種々の折り方が考えられるが、本発明はそれぞれの折り方についても適用できるものであることは当然である。」（５頁右下欄１３〜１９行）
　　そして、引用刊行物３の第２図の印刷物（２２）を折った折丁（２３）の説明図である第３図には、印刷物（２２）の表面下段の左から２番目の頁を一番若い第１ページ目とした場合に、当該印刷物（２２）が、Ａ−Ａ線に沿う第１回目の折り曲げ、Ｂ−Ｂ線に沿う第２回目の折り曲げ、Ｃ−Ｃ線に沿う第３回目の折り曲げによって得られる、第１ページから第１６ページまでの各ページが、印刷、折り、断裁の後に、第４図（ａ）〜（ｉ）に示す如く各ページを開いて見ることができる正しい順番になっている折丁（２３）が図示されている。
　
（４）原審における拒絶査定の理由に引用された、本願の特許出願前に頒布された刊行物である特開平６−２４３０６６号公報（以下、「周知技術文献１」という。）には、次の事項が記載されている。
　「【０００１】【産業上の利用分野】　本発明は、ネットワーク上の他のノードまたは自ノードの通信部を管理する管理部と、前記管理部の管理内容を表示画面上に表示する表示部とを備え、グラフィック・ユーザ・インターフェースを改善したノード管理装置に関する。」
　「【０００４】　ここで、表示画面上に新たに表示されたメニューを選択したり、あるいは、別の新たなウィンドウを開いて選択指示するグラフィック・ユーザ・インターフェースを採用する場合、管理者は、煩雑な操作手続きを繰り返す必要がある。
　　【０００５】　また、この煩雑な操作手続きの繰り返しをなくすため、資源ごとに可能な管理機能を全て表示し、あるいは管理機能ごとに可能な資源を全て表示するグラフィック・ユーザ・インターフェースを採用した場合、表示部の表示画面が煩雑になる。
　　【０００６】　特に、通信部の構成が複雑であり、しかも管理機能が豊富である場合、煩雑な選択指示の操作手続きをする必要があり、あるいは表示画面が煩雑になるという問題がある。
　　【０００７】　しかも、資源、機能の他にさらに複数の実行処理コマンドとの組み合わせがある場合のように、さらに考えられる様々な組み合わせの管理処理の中から適切な管理処理を指示し、実行するまでの手続きはさらに煩雑になる。
　　【０００８】　すなわち、様々な組み合わせの管理処理の中から、いかに可能な組み合わせを少ない表示画面領域を用いて管理者に情報を与え、管理者が行う管理処理を簡単かつ迅速な操作で選択指示することは困難であった。」
　「【００１３】　そこで、本発明は、かかる問題点を除去し、少ない表示画面領域で管理処理を迅速かつ容易に選択指示することができるグラフィック・ユーザ・インターフェースを有するノード管理装置を提供することを目的とする。」
　「【００１６】【作用】　本発明は、管理者が、ネットワーク上の他のノードまたは自ノードの通信部を管理する管理部の管理内容を表示画面上に表示する表示部を参照して、該通信部に対する管理処理を選択指示する際、表示制御手段が、前記表示部の表示画面上に前記通信部の複数の構成要素に対応して被管理構成要素を選択する第１のボタン群と、前記各構成要素で共有可能なカテゴリーで表現された管理処理機能を選択する第２のボタン群とを表示し、管理者が前記第１のボタン群の選択指示すると、前記第２のボタン群のうち選択可能なボタンを強調表示し、前記第２のボタン群の選択指示すると、前記第１のボタン群のうち選択可能なボタンを強調表示する。このため、少ない画面表示領域で、管理者が所望する管理処理の操作を容易、かつ迅速に選択指示することができる。」
　「【００６０】　ステップ１０４において、選択したボタンが資源グループｇ１あるいは機能グループｇ２のボタンである場合、表示制御部４の問合せ部４ａは、選択した資源ボタンに対応する選択可能な機能ボタン、あるいは選択した機能ボタンに対応する選択可能な資源ボタンの組合せである管理情報を管理部３に問い合わせ（ステップ１０５）、管理部３は、管理コマンドテーブル３ａ内の記憶内容をもとに、選択可能な機能ボタンあるいは選択可能な資源ボタンの管理情報を表示制御部４に出力する。そして、表示制御部４は、入力された管理情報をもとに選択可能な機能ボタン、あるいは選択可能な資源ボタンのハイライト表示を行う（ステップ１０６）。そして、さらに、ボタンの選択が行われる（ステップ１０７）と、まず、同一グループ内のボタンが選択されたか否かを判断し（ステップ１０８）、同一グループ内のボタンが選択された場合は、ステップ１０５に移行し、上記と同様な処理を繰り返す。一方、同一グループ内のボタンの選択でない場合は、さらに、ハイライト表示された選択可能な機能ボタン、あるいは選択可能な資源ボタンの選択指示が行われたか否かを判断し（ステップ１０９）、ハイライト表示された機能ボタンあるいは資源ボタンが選択指示された場合は、選択した資源ボタンと機能ボタンボタンの１対の組合せに対する読取、あるいは書込が実行される（ステップ１１０）。ここで、読取、あるいは書込は、補助グループｇ３の選択表示されているボタンに対応するものである。」
　
（５）原審における拒絶査定の理由に引用された、本願の特許出願前に頒布された刊行物である特開平５−２１０４７３号公報（以下、「周知技術文献２」という。）には、次の事項が記載されている。
　「【０００１】【産業上の利用分野】　本発明は業務メニュー表示方式に関し、特に一連の関連ある業務を連続的に処理する場合に次業務の選択を容易にする業務メニュー表示方式に関する。」
　「【０００４】　本発明の目的は、上述の欠点を除去し、初心者でも次の業務の選択が容易に行え無駄のない業務メニュー表示方式を提供することにある。
　　【０００５】【課題を解決するための手段】　本発明の業務メニュー表示方式は、一連の相互に関連ある複数の業務の中から一つの業務を選択するために各業務の業務項目を画面上に一覧形式で表示する業務メニュー表示方式において、既に処理された業務の選択状況を記憶する業務選択情報格納部と、各業務の処理順序や処理回数などの制約条件があらかじめ記憶されている業務制約情報格納部と、前記業務選択情報格納部の情報を前記業務制約情報格納部と比較し次に選択可能な業務を抽出する選択可能業務抽出手段と、前記選択可能業務抽出手段で抽出した業務の業務項目をメニュー画面上に他の業務項目と容易に区別できる異なる表示方法で表示させる表示制御手段とを備えて構成されている。」
　「【０００８】　本実施例の業務メニュー表示方式は、図１に示すように、既に処理された業務の選択状況を記憶する業務選択情報格納部１と、各業務の処理順序や処理回数などの制約条件があらかじめ記憶されている業務制約情報格納部２と、業務選択情報格納部１の情報を業務制約情報格納部２の制約条件と比較し、次に選択可能な業務を抽出する選択可能業務抽出部３と、抽出した業務の業務項目を画面上に他の業務項目よりも高輝度で表示させる表示制御部４とを含んでいる。」
　「【００１２】　表示制御部４は、選択可能業務抽出部３からの指示により、業務メニュー格納部６に格納されている業務メニューの業務項目のうち、該当する業務の業務項目のみを他の業務項目よりも高輝度で表示装置７に表示させる。これにより、オペレータは業務メニューから選択可能な業務を容易に判別できる。
　　【００１３】　上述の説明では、選択可能な業務項目を高輝度で表示させるとしたが、他の業務項目との区別が容易につくならば、他の表示方法、例えば、反転表示とか点滅表示とかの方法を用いてもよい。
　　【００１４】【発明の効果】　以上説明したように、本発明の業務メニュー表示方式は、選択可能な業務項目を高輝度表示など他の業務項目と異なる方法で表示するため、オペレータが視覚により次に選択可能な業務を容易に判断できる効果がある。従って、一連の連続業務の途中で席を離れて他の業務を行った場合も、次の業務を業務メニューを見て容易に選択でき、初心者でも次業務の判断が容易に行えので、作業の効率が向上する。」
　
３　当審の判断
（１）対比
　本願発明１と上記引用発明１とを比較すると、引用発明１における「１枚の刷版に面付を行うページ数」が、本願発明１の「折られていない状態での表裏面のいずれか一面の縦方向×横方向のページ数に対応する升目数」に対応することは明らかである。
　そうすると、引用発明１における「刷版を作成する際の面付を行い、各刷版に露光するページ配置を調整した出力データＤＳを生成するページデータ面付装置１を使用して印刷データの面付を容易に行うことができるコンピュータを用いたページデータ面付方法」、「各色版について最終的な刷版サイズに合わせて、必要な分版ページデータＢＰＤの面付配置を行い、刷版上に、どのページを、どのような方向・位置で配置するかの面付指示を、オペレータがキーボード１１、マウス１２の入力手段によって入力し、表示手段であるモニタ１５に表示される面付指示データである印刷イメージ表示部１１０に刷版位置を表すシミュレーション画面をオペレータが確認しつつ面付をするに際し、まず、オペレータがキーボード１１やマウス１２を操作して、刷版の横幅Ｗと縦幅Ｈを入力し、次に、ページの横幅Ｗと縦幅Ｈを入力し、そして、１枚の刷版に面付を行うページ数を入力すると、印刷イメージ表示部１１０に刷版位置を表すシミュレーション画面である、刷版１１０中に配置する各ページ部１１１〜１１４が表示され、」及び「コンピュータを用いたページデータ面付方法」のそれぞれが、本願発明１の「製本する際に複数回折られる印刷物を、折られていない状態で画面上に表示させ、折られていない状態における表裏面の各ページにページ番号をコンピュータ処理により割り付ける」、「折られていない状態での表裏面のいずれか一面の縦方向×横方向のページ数に対応する升目数を指定する」及び「印刷物のページ割付方法」にそれぞれ相当する。
　そして、引用発明１では、「各ページ部１１１〜１１４にどのページを配置するかを特定するため、対象となるページ部をマウス１２で特定し、ページ番号をキーボード１１を用いて入力すると、表示枠２２０に当該ページ番号が表示されると共にそのページ部にページ番号が表示され」るから、引用発明１の前記「各ページ部１１１〜１１４にどのページを配置するかを特定するため、対象となるページ部をマウス１２で特定し、ページ番号をキーボード１１を用いて入力すると、表示枠２２０に当該ページ番号が表示されると共にそのページ部にページ番号が表示され」が、本願発明１の「前記表裏面のいずれか一面中の、所望の升目を第１ページに指定することで、第１ページを決定する」に相当する。
　
　そうすると、本願発明１と引用発明１とは、
　「製本する際に複数回折られる印刷物を、折られていない状態で画面上に表示させ、折られていない状態における表裏面の各ページにページ番号をコンピュータ処理により割り付ける際に、折られていない状態での表裏面のいずれか一面の縦方向×横方向のページ数に対応する升目数を指定し、前記表裏面のいずれか一面中の、所望の升目を第１ページに指定することで、第１ページを決定する印刷物のページ割付方法」
である点で一致し、次の点で構成が相違する。
　［相違点１］：本願発明１が「前記表裏面のいずれか一面中の、所望の升目を第１ページに指定することで、第１ページを決定するとともに、その第１ページの裏の升目のページを第２ページに決定する第２過程と、第３ページを、第１回目の折りにより前記第２ページと対面可能な升目中の所望の升目に指定することで、この第３ページの裏の升目のページを第４ページに決定する第３過程と、第５ページを、第２回目の折りにより前記第４ページと対面可能な升目中の所望の升目に指定することで、この第５ページの裏の升目のページを第６ページに決定する第４過程とを有」するのに対し、引用発明１は、前記構成を欠如している点。
　［相違点２］：対面可能な升目を表示するに際して、本願発明１が「前記折られていない状態で画面に表示されている印刷物中、対面可能な升目をポインチングデバイスで選択可能に表示」するのに対し、引用発明１では、前記構成が明確でない点。
　
（２）相違点についての検討
ア　相違点１について
　上記引用刊行物２には、
　「実際に本にする際の印刷は折の方向，種類によって変わってくるが、右綴じの場合は第３図の様に印刷する。つまり、校正刷の場合と実際の印刷の場合とでは、頁の隣合わせのパターンが異なる」こと、
　「面付には、品目，月号，折り，頁と面付に必要な項目として、綴じの種類（中綴じ、平綴じ），折り数，面付数及び綴じ方向（右開きか左開きか）の各情報があ」ること、
　「折りは機械折りを前提としているので、第３図に示すように一定の決まりがある。まず、若い番号を左下にもってきて、右から左へ折る。次に時計回りに９０°回転させ、同様に右から左へ折っていく」こと、及び
　「例えば、８頁面付、中綴じ左開き２４頁製本、平綴じ左開きの各場合では、それぞれ面付が異なる」ことが記載されている。
　また、上記した面付において前提となる製本技術上の制約のもとに、「上記の情報を管理し、面付手段をパターン化することにより、仮ノンブル（仮の頁）の自動認識が可能となる」こと、及び「このように面付手段をパターン化し、面付必要情報を一括管理することにより、仮ノンブルを決定することができる」ことが記載されている。
　そして、引用刊行物２の第３図には、刷物９の裏面左下隅の頁を一番若い第１頁目とした場合に、当該刷物９が、第１回目の折り曲げ、第２回目の折り曲げ、第３回目の折り曲げによって得られる、第１頁から第１６頁までの各頁１１に付されるノンブル１２が、若い折から順次各折を重ねて製本したときの正しい順番になっている図が示されている。
　そうすると、引用刊行物２のかかる記載からみて、引用刊行物２には、「前提となる面付情報としての綴じの種類（中綴じ、平綴じ），折り数，面付数及び綴じ方向（右開きか左開きか）の面付必要情報を一括管理し、面付手段をパターン化することにより、仮ノンブル（仮の頁）の自動認識により仮ノンブル決定する面付方法」が開示されているといえる。
　また、上記引用刊行物３には、
　「従来、本やカタログ等の印刷を行なう場合に複数ページ分の画像をー度に印刷することは広く一般に行なわれている。このような場合に複数ページ分を印刷された印刷物は折り機によって各ページが正しい順番となるように折られる。ところで印刷物が折り機によって折られた場合に各ページが正しい順番になるようにするためには印刷版上に形成される各ページの画像が予じめ決められた位置に配列されていることが必要である」こと、
　「第１図は複数ページ分の画像（Ｐ１）、（Ｐ２）、（Ｐ３）…（Ｐ１６）を２枚のシート状基材（２０）（２１）上に配列させた状態を示している。シート状基材（２０）は表に印刷される分の各ページが配列されており、シート状基材（２１）には裏に印刷される分の各ページが配列されている。」、
　「第１図（ａ）、（ｂ）の如く各ページの画像が配列されている２枚の印刷用面付フィルムからそれぞれ２版の印刷版が作成され、該印刷版を用いて紙その他の被印刷体の表裏両面に印刷が行なわれる。第２図はオフセット方式で印刷された印刷物（２２）を示しており、印刷物（２２）中に付された数字はそれぞれの数字で示されるページを示し、カッコなしの数字は印刷物（２２）の表に印刷されている各ぺージを示し、カッコを付けて示された数字はそれぞれの数字の配列されている位置の裏面に印刷されている各ページを示す。すなわち、第１６、１、４、１３、９、８、５、１２頁はそれぞれ表に印刷されており、対応する数字によって示される位置に配列されている。また、第１５、２、３、１４、１０、７、６、１１頁はそれぞれ裏に印刷されており、対応する数字によって示される位置に配列されている」こと、
　「こうして得られた印刷物（２２）は第１にＡ−Ａ線に沿って折り曲げ、次にＢ−Ｂ線に沿って折り曲げ、最後にＣ−Ｃ線に沿って折り曲げることによって第３図に示す如く第１ページから第１６ページまで各ページが正しい順番になっている折丁（２３）が得られる」こと、及び
　「各ページの画像をシート状基材のどの位置に配列させるかは、（イ）何ページ分を一度に印刷するのか、（ロ）右から読む本であるのか又は左から読む本であるのか、（ハ）どのような折り方を採用するのか、等によって異なってくるものである」ことが記載されている。
　そして、引用刊行物３の第３図には、印刷物（２２）の表面下段の左から２番目の頁を一番若い第１ページ目とした場合に、当該印刷物（２２）が、Ａ−Ａ線に沿う第１回目の折り曲げ、Ｂ−Ｂ線に沿う第２回目の折り曲げ、Ｃ−Ｃ線に沿う第３回目の折り曲げによって得られる、第１ページから第１６ページまでの各ページが、印刷、折り、断裁の後に、第４図（ａ）〜（ｉ）に示す如く各ページを開いて見ることができる正しい順番になっている折丁（２３）が図示されている。
　そうすると、引用刊行物３のかかる記載からみて、引用刊行物３には、「印刷版上に形成される各ページの画像が予じめ決められた位置に配列されていることが必然的に要請される、本やカタログ等の印刷を行なう場合に複数ページ分の画像を一度に印刷される印刷物が折り機によって折られる場合の印刷版の作成において、各ページの画像をシート状基材のどの位置に配列させるかの面付は、（イ）何ページ分を一度に印刷するのか、（ロ）右から読む本であるのか又は左から読む本であるのか、（ハ）どのような折り方を採用するのか、等によって異なってくることを前提にして、例えば印刷物（２２）の表面下段の左から２番目の頁を一番若い第１ページ目とした場合に、当該印刷物（２２）が、Ａ−Ａ線に沿う第１回目の折り曲げ、Ｂ−Ｂ線に沿う第２回目の折り曲げ、Ｃ−Ｃ線に沿う第３回目の折り曲げによって得られる、第１ページから第１６ページまでの各ページが、印刷、折り、断裁の後に各ページを開いて見ることができる正しい順番になっている折丁（２３）を得る面付方法」が開示されているといえる。
　そうしてみると、引用刊行物２及び引用刊行物３の上記記載からみて、「何ページ分を一度に印刷するのか、右から読む本であるのか又は左から読む本であるのか、どのような折り方を採用するのか等、の綴じの種類（中綴じ、平綴じ）、折り数、面付数及び綴じ方向（右開きか左開きか）の面付必要情報によって異なってくる面付において、各ページをどの位置に配列させるかの面付におけるノンブル（仮ページ）の決定を、本やカタログ等の印刷を行なう場合に要求される面付必要情報に基づいて自動認識により面付をする方法」は、本願特許出願時の周知技術であるといえる。
　ところで、面付に際しての綴じの種類（中綴じ、平綴じ）、折り数、面付数及び綴じ方向（右開きか左開きか）の面付必要情報は、本やカタログ等の印刷の仕様に応じて定められるところの人間の選択に基づく単なる人為的取り決めにすぎないことである。また、上記面付必要情報を選択した上で、第１頁目を刷物又は印刷物の表裏面のいずれか一面中の所望の場所を指定してしまえば、前記面付必要情報にしたがって自動的に第２頁以降の面付が一義的に決定されることとなることは、引用刊行物２の第３図及び引用刊行物３の第３図にそれぞれ記載されているとおりであり、この点に何らの技術的工夫も必要とされることはない。そして、かかる面付必要情報をコンピュータのデータ処理の手順に織り込ませて、コンピュータ処理により面付をすることは、前記した人間の選択に基づく人為的取り決めにしたがってする人間による面付作業の手順を、単にコンピュータのデータ処理の手順に置き換えたものでしかないものであるといえる。
　してみれば、コンピュータ処理により、表裏面のいずれか一面中の、所望の升目を第１ページに指定することで、第１ページを決定して自動的に当該第１ページの裏の升目のページを第２ページに決定すること、次に第３ページを、第１回目の折りにより第２ページと対面可能な升目中の所望の升目に指定することで、当該第３ページの裏の升目のページを第４ページに決定すること、そして第５ページを、第２回目の折りにより第４ページと対面可能な升目中の所望の升目に指定することで、当該第５ページの裏の升目のページを第６ページに決定することは、人間による面付作業の手順の一部を、プログラミングによりコンピュータ処理による面付の手順に置き換えたものでしかなく、このようなコンピュータによる自動化は、前記周知技術、並びに、コンピュータにおけるデータ処理技術及びプログラミング技術等の慣用技術にもとづいて、格別の困難を伴うことなく、当業者が容易になし得ることであって、格別の創作力が要求されることとはいえない。
　そうすると、引用発明１に前記周知技術、並びに、コンピュータにおけるデータ処理技術及びプログラミング技術等の慣用技術を適用して、本願発明１の前記相違点１に係る「前記表裏面のいずれか一面中の、所望の升目を第１ページに指定することで、第１ページを決定するとともに、その第１ページの裏の升目のページを第２ページに決定する第２過程と、第３ページを、第１回目の折りにより前記第２ページと対面可能な升目中の所望の升目に指定することで、この第３ページの裏の升目のページを第４ページに決定する第３過程と、第５ページを、第２回目の折りにより前記第４ページと対面可能な升目中の所望の升目に指定することで、この第５ページの裏の升目のページを第６ページに決定する第４過程とを有」する構成を得ることは、当業者が容易に想到できることである。
　
イ　相違点２について
　上記周知技術文献１には、「少ない表示画面領域で管理処理を迅速かつ容易に選択指示することができるグラフィック・ユーザ・インターフェース」として「管理者が前記第１のボタン群の選択指示すると、前記第２のボタン群のうち選択可能なボタンを強調表示し、前記第２のボタン群の選択指示すると、前記第１のボタン群のうち選択可能なボタンを強調表示する。このため、少ない画面表示領域で、管理者が所望する管理処理の操作を容易、かつ迅速に選択指示することができる」ことが記載されている。
　また、上記周知技術文献２には、「業務メニュー表示方式」として「表示制御部４は、選択可能業務抽出部３からの指示により、業務メニュー格納部６に格納されている業務メニューの業務項目のうち、該当する業務の業務項目のみを他の業務項目よりも高輝度で表示装置７に表示させる。これにより、オペレータは業務メニューから選択可能な業務を容易に判別できる」及び「他の業務項目との区別が容易につくならば、他の表示方法、例えば、反転表示とか点滅表示とかの方法を用いてもよい」ことが記載されている。
　このように、ポインチングデバイスで選択可能な選択肢を、例えば高輝度表示、反転表示、点滅表示等により選択可能に表示することは、本願特許出願時の周知技術であるといえる。
　そうすると、本願発明１の前記相違点２に係る「対面可能な升目を表示するに際して、折られていない状態で画面に表示されている印刷物中、対面可能な升目をポインチングデバイスで選択可能に表示」する構成とすることは、引用発明１に前記周知技術を適用することにより、格別の困難を要せずに当業者が容易になし得たことである。
　
　そして、本願発明１の奏する作用効果は、引用発明１及び周知・慣用技術から予測できる範囲内のものであって、格別のものということができない。
　
（３）まとめ
　したがって、本願発明１は、引用発明１及び周知・慣用技術に基いて当業者が容易に発明をすることができたものである。
　
４　むすび
　以上のとおりであり、本願発明１は、引用発明１及び周知・慣用技術に基いて当業者が容易に発明をすることができたものであるから、本願発明１は特許法第２９条第２項の規定により特許を受けることができないので、他の請求項に係る発明について検討するまでもなく、本願は、拒絶されるべきものである。
　よって、結論のとおり審決する。